(57)【特許請求の範囲】
【請求項１】
直管型蛍光ランプとランプ長が同寸法に設定された直管状の発光管と、前記発光管の両端に設けられた口金と、両側の前記口金にそれぞれ２本ずつ設けられ、ランプソケットの給電用端子に電気的に接続される板状の口金ピンとを備え、
前記口金ピンの長さ、及び、２本の前記口金ピンの外側ピン間寸法が、日本工業規格ＪＩＳ Ｃ ７７０９−１で規定されたＧ１３形口金に対応した寸法に設定されており、
各々の前記口金ピンの先端側に曲げ部が設けられており、
前記曲げ部が設けられた前記口金ピンは、前記ランプソケットへの装着時に回転される前記口金に設けられたことを特徴とする直管型ランプ。
【請求項２】
前記口金ピンは、ランプソケットへの装着時に前記口金が回転させられる回転方向に沿って表面が湾曲した板状であって、
前記口金ピンの先端部において、前記回転方向における側縁の一部を前記回転方向と交差する方向に曲げることによって前記曲げ部が形成されたことを特徴とする請求項１記載の直管型ランプ。
【請求項３】
直管型蛍光ランプとランプ長が同寸法に設定された直管状の発光管と、前記発光管の両端に設けられた口金と、両側の前記口金にそれぞれ２本ずつ設けられ、ランプソケットの給電用端子に電気的に接続される口金ピンとを備え、各々の前記口金ピンの先端側に曲げ部が設けられた直管型ランプが装着されるランプソケットであって、
前記直管型ランプの前記口金が装着される口金受け部を備え、
前記口金受け部には、前記口金ピンが挿入される挿入溝を有し前記発光管の回転に応じて回転させられる回転子と、前記回転子が回転させられた場合に前記口金ピンに電気的に接続する給電用端子とが設けられ、前記口金ピンの前記曲げ部を逃がす逃がし溝が設けられたことを特徴とするランプソケット。
【請求項４】
前記回転子を回転自在とする支持軸の外径寸法が、日本工業規格ＪＩＳ Ｃ ７７０９−１で規定されたＧ１３形口金の口金ピンの内側ピン間寸法よりも大きく、且つ、前記直管型ランプの前記口金ピンの内側ピン間寸法よりも小さい寸法に設定されたことを特徴とする請求項３記載のランプソケット。
【請求項５】
請求項３又は４の何れか１項に記載のランプソケットと、前記ランプソケットに装着される直管型ランプに点灯電力を供給する点灯回路とを備えたことを特徴とする照明器具。
【発明の詳細な説明】
【技術分野】
【０００１】
本発明は、直管型ランプ及びそれに用いるランプソケット並びに照明器具に関するものである。
【背景技術】
【０００２】
従来、家庭用の照明器具や施設用の照明器具として、直管型蛍光ランプを用いた照明器具が広く用いられてきた。
【０００３】
ところで、近年、蛍光ランプに比べて消費電力の低い発光ダイオードを用いたＬＥＤランプが普及しつつあり、直管型蛍光ランプを使用する既設の照明器具にも取付可能なＬＥＤランプが、直管型蛍光ランプの代替光源として市場に提供されている。
【０００４】
このようなＬＥＤランプは、直管型蛍光ランプと差し替えが可能なように、直管型蛍光ランプと同じ口金（ＪＩＳ  Ｃ  ７７０９−１に規定されたＧ１３形口金）を用いており、発光管の管径及び管長も直管型蛍光ランプと同じ寸法に形成されていた。したがって、直管型蛍光ランプに対応した照明器具のランプソケットに、直管型蛍光ランプに代えて、ＬＥＤランプをそのまま装着することが可能であった。
【０００５】
また、ＬＥＤランプには、電源回路を内蔵し蛍光ランプ用の点灯回路でそのまま点灯可能なものもあるが、専用の点灯回路に交換する必要があるものもある。専用の点灯回路を必要とするＬＥＤランプを、既設の蛍光灯用照明器具で使用する場合、点灯回路をＬＥＤランプ用のものと交換する必要があった。そのため、直管型蛍光ランプを用いる既設の照明器具を、ＬＥＤランプが使用できるように改造する場合、点灯回路をＬＥＤランプ用のものに交換するなどの改造を行っていた。
【先行技術文献】
【特許文献】
【０００６】
【特許文献１】特開２００４−３０９２９号公報（段落［００２５］−段落［００３５］、及び、第１図−第２図）
【発明の概要】
【発明が解決しようとする課題】
【０００７】
上述のように直管型蛍光ランプと、その代替光源として提供されたＬＥＤランプは同じ口金を使用しているため、既設の照明器具をＬＥＤランプ用に改造した後でも、再び直管型蛍光ランプが装着されたり、他メーカーのＬＥＤランプが装着される可能性がある。
【０００８】
しかしながら、直管型蛍光ランプとＬＥＤランプとでは入力電力の仕様が異なり、またＬＥＤランプでもメーカー毎に入力仕様が異なるため、対象外のランプが誤装着されると、点灯回路に悪影響を与えたり、不点灯が発生するという問題があった。
【０００９】
また、ＬＥＤランプの口金に、直管型蛍光ランプとは異なる位置に口金ピンを設け、誤接続を起こしにくくすることも検討されているが（例えば特願２０１０−６６８６４号参照）、口金ピンの数が増えてコスト高を招くという問題があった。また、このＬＥＤランプでは、直管型蛍光ランプと同じ位置に口金ピンを設けるとともに、口金の中心位置に口金ピンを設けているが、回転式のランプソケットの場合、蛍光ランプ用のランプソケットにもＬＥＤランプを強引に装着できてしまう可能性があった。
【００１０】
本発明は上記課題に鑑みて為されたものであり、その目的とするところは、意図しないランプソケットに直管型ランプが接続される可能性を低減した直管型ランプ及びそれを用いるランプソケット並びに照明器具を提供することにある。
【課題を解決するための手段】
【００１１】
上記課題を解決するために、本発明の直管型ランプは、直管型蛍光ランプとランプ長が同寸法に設定された直管状の発光管と、この発光管の両端に設けられた口金と、両側の口金にそれぞれ２本ずつ設けられ、ランプソケットの給電用端子に電気的に接続される板状の口金ピンとを備え、口金ピンの長さ、及び、２本の口金ピンの外側ピン間寸法が、日本工業規格ＪＩＳ Ｃ ７７０９−１で規定されたＧ１３形口金に対応した寸法に設定されており、各々の口金ピンの先端側に曲げ部が設けられており、曲げ部が設けられた口金ピンは、ランプソケットへの装着時に回転される口金に設けられたことを特徴とする。
【００１２】
この直管型ランプにおいて、口金ピンは、ランプソケットへの装着時に口金が回転させられる回転方向に沿って表面が湾曲した板状であって、口金ピンの先端部において、回転方向における側縁の一部を回転方向と交差する方向に曲げることによって曲げ部が形成されることも好ましい。
【００１４】
本発明のランプソケットには、直管型蛍光ランプとランプ長が同寸法に設定された直管状の発光管と、発光管の両端に設けられた口金と、両側の口金にそれぞれ２本ずつ設けられ、ランプソケットの給電用端子に電気的に接続される口金ピンとを備え、各々の口金ピンの先端側に曲げ部が設けられた直管型ランプが装着される。このランプソケットは、直管型ランプの口金が装着される口金受け部を備え、この口金受け部には、口金ピンが挿入される挿入溝を有し発光管の回転に応じて回転させられる回転子と、この回転子が回転させられた場合に口金ピンに電気的に接続する給電用端子とが設けられ、口金ピンの曲げ部を逃がす逃がし溝が設けられたことを特徴とする。
【００１５】
このランプソケットにおいて、回転子を回転自在とする支持軸の外径寸法が、日本工業規格ＪＩＳ  Ｃ  ７７０９−１で規定されたＧ１３形口金の口金ピンの内側ピン間寸法よりも大きく、且つ、直管型ランプの口金ピンの内側ピン間寸法よりも小さい寸法に設定されることも好ましい。
【００１６】
また本発明の照明器具は、上述したランプソケットと、このランプソケットに装着される直管型ランプに点灯電力を供給する点灯回路とを備えたことを特徴とする。
【発明の効果】
【００１７】
本発明によれば、口金ピンの先端側に曲げ部が設けられているので、直管型蛍光ランプに対応した既存のランプソケットに、代替光源である直管型ランプが装着される可能性を低減できる。したがって、直管型蛍光ランプを使用する照明器具に、直管型ランプが誤装着される可能性を低減でき、直管型ランプや点灯回路側に不具合が発生する可能性を低減することができる。よって、蛍光ランプの代替光源用に用意されたランプソケットへは装着でき、且つ、蛍光ランプ用のランプソケットへの誤装着が起こりにくい直管型ランプ及びランプソケット並びにそれを用いる照明器具を提供することができる。
【図面の簡単な説明】
【００１８】
【図１】実施形態１の直管型ランプ及びそれに用いるランプソケットを示し、（ａ）はランプソケットの分解斜視図、（Ｂ）はランプ装着時の斜視図である。
【図２】同上の直管型ランプを示し、（ａ）は外観斜視図、（ｂ）は口金部分の斜視図、（ｃ）は口金部分の平面図である。
【図３】同上の直管型ランプに用いられるランプソケットの外観斜視図である。
【図４】同上の直管型ランプに用いられるランプソケットの断面図である。
【図５】（ａ）は直管型ランプの口金部分を示す平面図、（ｂ）は直管型蛍光ランプの口金部分を示す平面図である。
【図６】同上の直管型ランプの別形態を示し、（ａ）は口金部分の斜視図、（ｂ）は口金部分の平面図、（ｃ）は右側から見た側面図である。
【図７】同上の直管型ランプのまた別の形態を示し、（ａ）は口金部分の斜視図、（ｂ）は口金部分の平面図である。
【図８】同上の直管型ランプ及びランプソケットの説明図である。
【図９】同上の直管型ランプに用いられるランプソケットを示し、（ａ）は外観斜視図、（ｂ）は口金受け部の要部拡大斜視図である。
【図１０】既存の直管型蛍光ランプに用いられるランプソケットを示し、（ａ）は断面図、（ｂ）は外観斜視図である。
【図１１】同上の直管型ランプのさらに別の形態を示し、（ａ）は口金部分の斜視図、（ｂ）は口金部分の平面図、（ｃ）は右側から見た側面図である。
【図１２】実施形態２の直管型ランプ及びランプソケットの説明図である。
【図１３】同上の別の直管型ランプ及びランプソケットの説明図である。
【図１４】実施形態３の照明器具を示し、（ａ）は器具本体の外観斜視図、（ｂ）は照明器具の概略構成図である。
【発明を実施するための形態】
【００１９】
本発明の技術思想を、光源として発光ダイオードを備える直管型ランプ、及び、この直管型ランプを用いるランプソケット並びに照明器具に適用した実施形態について、図面を参照して説明する。
【００２０】
（実施形態１）
本発明の実施形態１を図１〜図１０に基づいて説明する。
【００２１】
図２（ａ）に直管型ランプ１０Ａの外観斜視図を、図２（ｂ）（ｃ）に口金部分の拡大図をそれぞれ示す。この直管型ランプ１０Ａは、光出力が同等の直管型蛍光ランプとランプ長が同寸法に設定された直管状の発光管１１と、この発光管１１の両端に設けられた口金１２とを備えている。発光管１１の内部には、一面に複数個の発光ダイオード１６がランプ軸方向に並べて実装された回路基板１５が収納されている。発光管１１は、発光ダイオード１６の光が照射される部位が透光性を有する合成樹脂で形成されており、発光ダイオード１６の光は発光管１１を透過して外部に照射される。尚、発光管１１の全体が透光性材料で形成されていてもよいし、発光ダイオード１６の光が照射されない部位に放熱フィン（図示せず）を設け、発光ダイオード１６の発熱を外部に効率良く放熱するようにしてもよい。
【００２２】
直管型ランプ１０Ａの両側の口金１２には、それぞれ、後述するランプソケット２０Ａの給電用端子に電気的に接続される各２本の口金ピン１３が設けられている。２本の口金ピン１３，１３は、ランプソケットへの装着時に口金１１が回転させられる回転方向に沿って表面が湾曲した板状であって、発光管１１の中心軸に対して対称な位置に設けられ、発光管１１の中心軸と平行な方向に延びている。また各口金ピン１３の先端側には曲げ部１４が設けられている。曲げ部１４は略直角に曲げられて、内側方向（発光管１１の中心軸に向かう方向）に突出している。発光管１１の両端に設けた口金１２は、機械的な保持と電気的な接続の両方に用いられているが、片側の口金１２のみで給電を行ってもよい。両側の口金１２で給電する場合は、一方の口金１２の口金ピン１３が直流電源の正極側に接続され、他方の口金１２の口金ピン１３が直流電源の負極に接続される。片側の口金１２のみで給電する場合は、その口金１２に設けられた２本の口金ピン１３のうちの一方が直流電源の正極側に接続され、他方が直流電源の負極に接続される。尚、片側の口金１２のみで給電を行う場合には、給電に用いる口金１２がソケットに接続されている状態で、反対側の口金１２に触れても、感電することはない。
【００２３】
次に、ランプソケット２０Ａについて図１、図３及び図４を参照して説明する。尚、ランプソケット２０Ａの説明では、特にことわりがないかぎり、図４における上下を上下方向、図４における左右を前後方向、図４の紙面と垂直な方向を左右方向として説明を行う。
【００２４】
ランプソケット２０Ａのソケット本体２１は、前面側（ランプ側）が開口する箱状のボディ２２と、ボディ２２の前面開口を閉塞する形でボディ２２に取り付けられるカバー２３とで構成されており、ボディ２２及びカバー２３はともに合成樹脂成形品からなる。
【００２５】
ボディ２２上部の左右両側には、カバー２３側に設けた嵌合突起２３ｅがそれぞれ嵌合する嵌合部２２ｄが設けられ、各嵌合部２２ｄに嵌合突起２３ｅをそれぞれ嵌合させることによってソケット本体２１が組み立てられる。
【００２６】
また、ボディ２２の左右の側壁部２２ｂにおいて嵌合部２２ｄの下側には、器具本体１０１（図１０参照）にランプソケット２０Ａを取り付ける際に器具本体１０１側に設けたリブ（図示せず）を挿入させる挿入溝２２ｅが、前後方向に沿って設けられている。さらに、ボディ２２の底面部には、回転子２４を回転自在に支持する筒状の支持軸２２ｃが、前方に突出する形で設けられている。
【００２７】
カバー２３は、ボディ２２の前面開口を閉塞する板状の前壁部２３ａを有し、前壁部２３ａの上部には端子カバー２３ｂが一体に設けられ、前壁部２３ａの下部には前方に突出する円筒状の端子収納部２３ｃが一体に設けられている。端子カバー２３ｂには、電線（図示せず）を挿入させるための複数（本実施形態では４個）の電線挿入孔２３ｄが開口するとともに、左右両端部にはボディ２２側に突出する嵌合突起２３ｅが設けられている。また、端子収納部２３ｃには、回転子２４の嵌合筒部２６が挿入される円形の挿入孔（図示せず）が前面側に設けられるとともに、直管型ランプ１０Ａの口金ピン１３，１３が挿入される挿入溝２３ｆが下側に設けられている。
【００２８】
回転子２４は合成樹脂成形品からなり、円板状の回転子本体２５と、回転子本体２５の裏面から後方に向かって突出し、支持軸２２ｃに回転子２４を回転自在に支持させる略円筒状の嵌合筒部２６を一体に備える。ボディ２２にカバー２３が取り付けられた状態で、カバー２３前面の挿入溝に回転子２４の嵌合筒部２６を挿入すると、嵌合筒部２６の筒内に支持軸２２ｃが挿入される。そして、嵌合筒部２６の内周面に設けたリブが、支持軸２２ｃの外周面に設けた溝に嵌合することによって、回転子２４が支持軸２２ｃに対して回転自在に取り付けられる。回転子本体２５には、中心位置を通る線分に沿って一方の端から他方の端まで挿入溝２５ａが形成されており、この挿入溝２５ａの左右両側には端子確認用の窓孔２５ｂ，２５ｂが設けられている。嵌合筒部２６の周面には、挿入溝２５ａに連なる形で、後方に向かって延びる挿入溝２６ａ，２６ａがそれぞれ形成されている。また、支持軸２２ｃの周面にも、上下両側部に、前端部に開放された挿入溝２２ｆ，２２ｆが前後方向に沿って形成されるとともに、各挿入溝２２ｆに連続して円周方向に延びる逃がし溝２２ｇが形成されている。この逃がし溝２２ｇは口金ピン１３の曲げ部１４に対応する位置に設けられ、口金１２側から見て右回りの方向に延びている。なお、上述した各挿入溝２３ｆ，２５ａ，２６ａ，２２ｆ及び逃がし溝２２ｇの幅寸法は、直管型ランプ１０Ａの口金ピン１３及びその曲げ部１４の直径よりも大きい寸法に設定されている。ここで、ランプソケット２０Ａが組み立てられた状態で回転子２４が図３に示す位置に回転していると、端子収納部２３ｃの挿入溝２３ｆと、回転子本体２５の挿入溝２５ａと、嵌合筒部２６の挿入溝２６ａと、支持軸２２ｃの挿入溝２２ｆが連なった状態となる。直管型ランプ１０Ａ及び直管型蛍光ランプを装着する際には、下側からこれらの挿入溝２３ｆ，２５ａ，２６ａ，２２ｆに口金ピン１３を挿入させることになる。
【００２９】
ソケット本体２１の内部には、一対の給電用端子２７が収納されている。各給電用端子２７は、それぞれ弾性を有する導電性材料（例えば銅合金など）からなり、電線挿入孔２３ｄを通してソケット本体２１内に挿入される電線（図示せず）が電気的に接続される速結型の電線接続部（図示せず）を備えている。また各給電用端子２７には、略Ｖ字形に湾曲した接触ばね片２７ａが一体に設けられている。２つの接触ばね片２７ａは、端子収納部２３ｃ内部の左右両側に、回転子２４の回転中心を中心とする円周上に配置されている。ここにおいて、口金ピン１３が挿入される挿入溝２５ａを有し発光管１１の回転に応じて回転させられる回転子２５と、この回転子２５が回転させられた際に口金ピン１３に電気的に接続する給電用端子２７などから、口金受け部２８が構成される。
【００３０】
ここで、上方位置に設置された器具本体１０１にユーザが直管型ランプ１０Ａを取り付ける際には、発光管１１を手に持って、両端にある口金１２の口金ピン１３をそれぞれソケット本体２１の下側から挿入溝２３ｆ，２５ａ，２６ａ，２２ｆ内に挿入させる。上側の口金ピン１３が端子収納部２３ｃの上側縁に当たると、２本の口金ピン１３が嵌合筒部２６の外周面に対して上下両側に配置される。また各口金ピン１３の曲げ部１４は、支持軸２２ｃに設けられた逃がし溝２２ｇの開口部に位置しているので、口金ピン１３，１３を嵌合筒部２６の外周面に沿って回転させることができる。而して、ユーザが発光管１１を約９０度回転させると、回転子２４は口金ピン１３に押されて、口金１２と共に回転し、口金ピン１３の曲げ部１４は逃がし溝２２ｇ内に挿入される。このとき、２本の口金ピン１３は、それぞれ、対応する接触ばね片２７ａに接触するので、口金ピン１３が給電用端子２７に電気的に接続され、点灯装置からの点灯電力がランプソケット２０Ａを介して直管型ランプ１０Ａに供給される。また、発光管１１が約９０度回転すると、口金ピン１３は逃がし溝２２ｇの終端位置まで移動し、２本の口金ピン１３，１３は左右に並んだ状態となる。このとき、挿入溝２３ｆ，２５ａ，２６ａ，２２ｆは不連続な状態となり、口金ピン１３，１３がランプソケット２０Ａに機械的に保持される。また曲げ部１４が設けられていない場合、口金１２がランプソケット２０Ａに装着されている状態でも、発光管１１を前側（ランプソケット２０Ａから離れる方向）へ移動させることができ、電気的な接続が不完全になる可能性がある。それに対して、本実施形態では口金ピン１３の曲げ部１４が逃がし溝２２ｇ内に挿入されており、発光管１１が前側（ソケット本体２１から離れる方向）へ移動できないようになっている。したがって、口金ピン１３が接触ばね片２７ａと不完全な状態で接触する可能性を低減できる。尚、接触ばね片２７ａの弾性力によって、接触ばね片２７ａは口金ピン１３に押し付けられているので、接触ばね片２７ａと口金ピン１３とを確実に接触させることができる。また、２本の口金ピン１３の外側ピン間寸法Ｗ１は、Ｇ１３形口金の場合の外側ピン間寸法Ｗ１１と略同じ寸法に設定されているので、口金ピン１３と接触ばね片２７ａとの接触圧を略同じにできる。
【００３１】
なお、ランプソケット２０Ａから直管型ランプ１０Ａを取り外す場合、直管型ランプ１０Ａの発光管１１を装着時と反対回りに約９０度回転させると、口金ピン１３に押されて、回転子２４が装着時と反対回りに約９０度回転する。このとき、挿入溝２３ｆ，２５ａ，２６ａ，２２ｆが一列に並ぶので、発光管１１を下側へ移動させることによって、口金ピン１３を挿入溝２３ｆ，２５ａ，２６ａ，２２ｆの外側に移動させ、直管型ランプ１０Ａをランプソケット２０Ａから取り外すことができる。
【００３２】
ところで、図５（ａ）に従来からある直管型蛍光ランプ５０の口金部分を示す。この直管型蛍光ランプ５０は、発光管５１と、発光管５１の両端に設けられた口金５２とを備えている。発光管５１は直管状のガラス管からなり、内側壁面には蛍光体が塗布され、内部には放電ガスが封入されている。口金５２は、例えば日本工業規格（ＪＩＳ  Ｃ  ７７９０−１）で規格化されたＧ１３形口金からなり、発光管５１の内側に配置されるフィラメント電極（図示せず）を保持する。また口金５２には、フィラメント電極に電気的に接続された２本の口金ピン５３が設けられ、２本の口金ピン５３は、発光管５１の中心軸に対して対称な位置に設けられ、発光管５１の中心軸と平行な方向に延びている。
【００３３】
ここで、上述のランプソケット２０Ａにおいて嵌合筒部２６の外径寸法Ｄ１は、直管型蛍光ランプ５０の口金ピン５３，５３の内側ピン間寸法Ｗ１２よりも小さい寸法に設定されているので、ランプソケット２０Ａにも直管型蛍光ランプ５０を装着できる。すなわち、本実施形態のランプソケット２０Ａは、直管型蛍光ランプ５０と、直管型蛍光ランプ５０の代替光源である直管型ランプ１０Ａの両方が装着可能なハイブリッドタイプのソケットであり、何れのランプも装着することができる。
【００３４】
また、図１０（ａ）（ｂ）は直管型蛍光ランプ５０を装着する既存のランプソケット２０Ｃであり、このランプソケット２０Ｃには、口金ピン１３に設けた曲げ部１４を逃がすための逃がし溝２２ｇが設けられていない。したがって、代替光源である直管型ランプ１０Ａをランプソケット２０Ｃに装着しようとしても、曲げ部１４が支持軸２２ｃ（図１０（ａ）のＡ部）に干渉し、回転子２４を回転させることができないため、ランプソケット２０Ｃに装着できないようになっている。すなわち本実施形態の直管型ランプ１０Ａは、自身に対応したランプソケット２０Ａには接続可能であるが、直管型蛍光ランプ５０に対応した既存のランプソケット２０Ｃには接続できず、意図しないランプソケットに接続される可能性を低減できる。尚、ランプソケット２０Ｃは、逃がし溝２２ｇが設けられていない点を除いては、上述のランプソケット２０Ａと同様の構成を有しているので、共通する構成要素には同一の符号を付して、その説明は省略する。
【００３５】
ところで、図１及び図２に示す直管型ランプ１０Ａでは、口金ピン１３の先端部分の全体を内側方向へ折り曲げることで、曲げ部１４が形成されているが、曲げ部１４を上記の形状に限定する趣旨のものではない。
【００３６】
例えば図６（ａ）〜（ｃ）に示すように、口金ピン１３は、ランプ装着時に口金１１が回転させられる方向に沿って表面が湾曲した板状であり、口金ピン１３の先端部において、回転方向における側縁の一部を内側方向に曲げることで曲げ部１８が形成される。尚、図６の直管型ランプ１０Ａでは、口金ピン１３の先端部において側縁の一部が内側方向へ略直角に折り曲げられているが、側縁の一部を回転方向と交差する方向に折り曲げることによって、内側方向に曲げられた曲げ部１８が形成されればよい。
【００３７】
この直管型ランプ１０Ａを、上述した既存のランプソケット２０Ｃに装着しようとしても、曲げ部１８を逃がす逃がし溝２２ｇが設けられていないので、曲げ部１８が支持軸２２ｃに干渉することによって、ランプソケット２０Ｃに装着できないようになっている。一方、この直管型ランプ１０Ａをランプソケット２０Ａに装着する場合は、支持軸２２ｃに設けられた逃がし溝２２ｇに曲げ部１８が挿入されるので、ランプソケット２０Ａへの装着が可能となる。したがって、この直管型ランプ１０Ａは、自身に対応したランプソケット２０Ａには接続可能であるが、直管型蛍光ランプ５０に対応した既存のランプソケット２０Ｃには接続できず、意図しないランプソケットに接続される可能性を低減できる。尚、口金ピン１３の厚み寸法は、Ｇ１３形口金に設けられた口金ピンの直径よりも小さい寸法に設定されている。
【００３８】
また、図１、図２及び図６に示す直管型ランプ１０Ａでは、内側へ曲げられた曲げ部１４，１８が口金ピン１３に設けられているが、曲げ部１４，１８の曲げ方向は内側方向に限定されるものではなく、外側に曲げられた曲げ部を口金ピン１３に設けてもよい。
【００３９】
図７に示す直管型ランプ１０Ｂでは、口金ピン１３の先端側が略直角に折り曲げられることで、外側方向（両口金ピン１３，１３を結ぶ方向において、中心軸と反対側に向かう方向）に突出する曲げ部１７が形成されている。尚、曲げ部１４の代わりに曲げ部１７を形成した点を除いては、上述の直管型ランプ１０Ａと同様であるので、共通する構成要素には同一の符号を付して、その説明は省略する。
【００４０】
図８及び図９（ａ）（ｂ）は、この直管型ランプ１０Ｂに対応したランプソケット２０Ｂを示し、端子収納部２３ｃの内側壁には、口金ピン１３の曲げ部１７を逃がす逃がし溝２３ｇが形成されている。尚、支持軸２２ｃに逃がし溝２２ｇを形成する代わりに、端子収納部２３ｃに逃がし溝２３ｇを形成した点を除いては、上述したランプソケット２０Ａと同様であるので、共通する構成要素には同一の符号を付して、その説明は省略する。
【００４１】
ここで、このランプソケット２０Ｂにユーザが直管型ランプ１０Ｂを取り付ける際には、発光管１１を手に持ち、両端にある口金１２の口金ピン１３をそれぞれソケット本体２１の下側から挿入溝２３ｆ，２５ａ，２６ａ，２２ｆ内に挿入させる。上側の口金ピン１３が端子収納部２３ｃの上側縁に当たると、２本の口金ピン１３が嵌合筒部２６の外周面に対して上下両側に配置される。また、下側の口金ピン１３の曲げ部１７は、端子収納部２３ｃに設けられた逃がし溝２３ｇの開口部に位置しているので、口金ピン１３，１３を嵌合筒部２６の外周面に沿って回転させることができる。而して、ユーザが発光管１１を回転させると、口金ピン１３に押されることによって、口金１２と共に回転子２４が回転し、口金ピン１３の曲げ部１７は逃がし溝２３ｇ内に挿入される。このとき、２本の口金ピン１３は、それぞれ、対応する接触ばね片２７ａに接触するので、点灯装置からの点灯電力がランプソケット２０Ｂを介して直管型ランプ１０Ｂに供給される。尚、接触ばね片２７ａの弾性力によって、接触ばね片２７ａは口金ピン１３に押し付けられているので、接触ばね片２７ａと口金ピン１３とを確実に接触させることができる。また、２本の口金ピン１３の外側ピン間寸法Ｗ２は、Ｇ１３形口金の場合の外側ピン間寸法Ｗ１１と略同じ寸法に設定されているので、口金ピン１３と接触ばね片２７ａとの接触圧を略同じにできる。
【００４２】
一方、ランプソケット２０Ｂから直管型ランプ１０Ｂを取り外す場合、直管型ランプ１０Ｂの発光管１１を装着時と反対回りに約９０度回転させると、口金ピン１３に押されて、回転子２４が装着時と反対回りに約９０度回転する。このとき、挿入溝２３ｆ，２５ａ，２６ａ，２２ｆが一列に並ぶので、発光管１１を下側へ移動させることによって、口金ピン１３を挿入溝２３ｆ，２５ａ，２６ａ，２２ｆの外側に移動させ、直管型ランプ１０Ｂをランプソケット２０Ｂから取り外すことができる。
【００４３】
ところで、直管型蛍光ランプ５０に対応した既存のランプソケット２０Ｃには、上述のランプソケット２０Ｂのように、口金ピン１３の曲げ部１７を逃がすための逃がし溝２３ｇが設けられていない。したがって、既存のランプソケット２０Ｃに直管型ランプ１０Ｂを装着しようとしても、曲げ部１７が端子収納部２３ｃの内側壁（図１０（ａ）のＢ部）に干渉し、回転子２４を回転させることがでないため、ランプソケット２０Ｃに装着できないようになっている。
【００４４】
尚、図７及び図８に示す直管型ランプ１０Ｂでは、口金ピン１３の先端部分の全体を、外側方向へ略直角に折り曲げることで、曲げ部１７が形成されているが、曲げ部１７を上記の形状に限定する趣旨のものではない。
【００４５】
例えば図１１（ａ）〜（ｃ）に示すように、口金ピン１３は、ランプ装着時に口金１１が回転させられる方向に沿って表面が湾曲した板状であり、口金ピン１３の先端部において、回転方向における側縁の一部を外側方向に曲げることで曲げ部１９が形成される。尚、図１１の直管型ランプ１０Ａでは、口金ピン１３の先端部において側縁の一部が外側方向へ略直角に折り曲げられているが、側縁の一部を回転方向と交差する方向に折り曲げることによって、外側方向に曲げられた曲げ部１９が形成されればよい。
【００４６】
この直管型ランプ１０Ｂを、上述した既存のランプソケット２０Ｃに装着しようとしても、曲げ部１９を逃がす逃がし溝２３ｇが設けられていないので、曲げ部１９が端子収納部２３ｃの内側壁に干渉することによって、ランプソケット２０Ｃに装着できないようになっている。一方、この直管型ランプ１０Ｂをランプソケット２０Ｂに装着する場合は、端子収納部２３の内側壁に設けられた逃がし溝２３ｇに曲げ部１９が挿入されるので、ランプソケット２０Ｂへの装着が可能となる。したがって、この直管型ランプ１０Ａは、自身に対応したランプソケット２０Ｂには接続可能であるが、直管型蛍光ランプ５０に対応した既存のランプソケット２０Ｃには接続できず、意図しないランプソケットに接続される可能性を低減できる。
【００４７】
以上説明したように、本実施形態の直管型ランプ１０Ａ，１０Ｂは、直管型蛍光ランプ５０とランプ長が同寸法に設定された直管状の発光管１１と、発光管１１の両端に設けられた口金１２と、各々の口金１２に設けられた各２本の口金ピン１３を備えている。口金ピン１３は、ランプソケット２０Ａ，２０Ｂの接触ばね片２７ａ（給電用端子２７）に電気的に接続され、ランプソケット２０Ａ，２０Ｂを介して点灯電力の供給を受ける。また、各口金ピン１３の先端側には、直管型蛍光ランプ用のランプソケットへの誤装着を抑制するための曲げ部１４，１７，１８，１９が設けられている。
【００４８】
このように、口金ピン１３の先端側に曲げ部１４，１７，１８，１９が設けられているので、直管型蛍光ランプ５０に対応した既存のランプソケット２０Ｃに、代替光源である直管型ランプ１０Ａ，１０Ｂが装着される可能性を低減できる。したがって、直管型蛍光ランプ５０を使用する照明器具に、直管型ランプ１０Ａ，１０Ｂが誤装着される可能性を低減でき、直管型ランプ１０Ａ，１０Ｂや点灯回路側に不具合が発生する可能性を低減することができる。また口金ピン１３に曲げ部１４，１７，１８，１９が設けられているので、例えばＧ１３形口金を備える直管型蛍光ランプ５０と容易に区別がつき、蛍光ランプと間違える可能性を低減できる。また口金ピン１３の曲げ部１４，１７，１８，１９がランプソケット２０Ａ，２０Ｂの逃がし溝２２ｇ，２３ｇに引っ掛かることで、口金ピン１３が中途半端に外れにくくなり、口金ピン１３と給電用端子２７との不完全な接続状態が起こりにくくなる。
【００４９】
またランプソケット２０Ａ，２０Ｂでは、回転子２４を回転自在とする嵌合筒部２６の外径寸法が、直管型ランプ１０Ａ，１０Ｂの内側ピン間寸法よりも大きく、且つ、Ｇ１３形口金の場合の内側ピン間寸法Ｗ１２より大きい寸法に設定されている。
【００５０】
したがって、ランプソケット２０Ａ，２０Ｂは、直管型蛍光ランプ用の既存のランプソケットに逃がし溝を形成するだけでよく、Ｇ１３形口金を有する直管型蛍光ランプと代替光源である直管型ランプの両方を接続することができる。よって、現時点では点灯回路が蛍光ランプ用の回路で構成され、光源として直管型蛍光ランプ５０を使用する場合でも、点灯回路を代替光源用のものに交換するだけで、代替光源である直管型ランプ１０Ａ，１０Ｂを装着して使用できるようになる。
【００５１】
また直管型ランプ１０Ａ，１０Ｂでは、口金ピン１３の長さｈ１，ｈ２、及び、２本の口金ピン１３の外側ピン間寸法Ｗ１，Ｗ２が、直管型蛍光ランプ５０が備えるＧ１３形口金に対応した寸法に設定されている。
【００５２】
これにより、直管型ランプ１０Ａ，１０Ｂが装着されるランプソケット２０Ａ，２０Ｂと、直管型蛍光ランプ５０が装着されるランプソケット２０Ｃとで、部品の共通化を図ることができ、コストダウンを図ることができる。例えばランプソケット２０Ａでは、口金ピン１３の曲げ部１４，１８を逃がす逃がし溝２２ｇを除いて、ランプソケット２０Ｃと同じ形状を有しているので、カバー２３と回転子２４と給電用端子２７をランプソケット２０Ｃと共通化できる。またランプソケット２０Ｂでは、口金ピン１３の曲げ部１７，１９を逃がす逃がし溝２３ｇを除いて、ランプソケット２０Ｃと同じ形状を有しているので、ボディ２２と回転子２４と給電用端子２７をランプソケット２０Ｃと共通化できる。さらに、代替光源である直管型ランプ１０Ａ、１０Ｂでは、２本の口金ピン１３の外側ピン間寸法が、Ｇ１３形口金を有する直管型蛍光ランプと略同じ寸法に設定されているので、ランプソケット側の給電用端子との接触圧を略同じにできる。
【００５３】
（実施形態２）
本発明の実施形態２を図１２及び図１３に基づいて説明する。尚、実施形態１で説明した直管型ランプ及びランプソケットと共通する構成要素には同一の符号を付して、その説明は省略する。
【００５４】
実施形態１で説明したランプソケット２０Ａには、直管型ランプ１０Ａと直管型蛍光ランプ５０の両方が接続可能となっているが、本実施形態では代替光源である直管型ランプ１０Ａのみを装着可能としている。
【００５５】
すなわち本実施形態では、図１２に示すように、直管型ランプ１０Ａの内側ピン間寸法Ｗ３が、直管型蛍光ランプ５０の内側ピン間寸法Ｗ１２よりも大きい寸法に設定されている（Ｗ３＞Ｗ１２）。またランプソケット２０Ａでは、回転子２４を回転自在とする嵌合筒部２６の外径寸法Ｄ２が、直管型蛍光ランプ５０の内側ピン間寸法Ｗ１２より大きく、直管型ランプ１０Ａの内側ピン間寸法Ｗ３より小さい寸法に設定されている（Ｗ１２＜Ｄ２＜Ｗ３）。
【００５６】
したがって、ランプソケット２０Ａに直管型蛍光ランプ５０を装着しようとしても、口金ピン５３が嵌合筒部２６に干渉して回転子２４を回転させることができないため、直管型蛍光ランプ５０を装着できないようになっている。よって、このランプソケット２０Ａには、代替光源である直管型ランプ１０Ａは装着可能であるが、直管型蛍光ランプ５０は装着できず、適用外のランプが誤装着される可能性を低減することができる。
【００５７】
なお、実施形態１で説明したランプソケット２０Ｂにおいても、代替光源である直管型ランプ１０Ａのみを装着可能にしてもよい。
【００５８】
すなわち、図１３に示すように回転子２４を回転自在とする嵌合筒部２６の外径寸法Ｄ２が、Ｇ１３形口金の場合の内側ピン間寸法Ｗ１２より大きく、且つ、直管型ランプ１０Ｂの内側ピン間寸法Ｗ４より小さい寸法に設定されていればよい（Ｗ１２＜Ｄ２＜Ｗ４）。
【００５９】
この場合、ランプソケット２０Ｂに直管型蛍光ランプ５０を装着しようとしても、口金ピン５３が嵌合筒部２６に干渉して回転子２４を回転させることができないため、直管型蛍光ランプ５０を装着できないようになっている。よって、このランプソケット２０Ｂには、代替光源である直管型ランプ１０Ｂは装着可能であるが、直管型蛍光ランプ５０は装着できず、適用外のランプが誤装着される可能性を低減することができる。
【００６０】
以上説明したように本実施形態では、代替光源である直管型ランプ１０Ａ，１０Ｂの口金ピン１３の内側ピン間寸法Ｗ３，Ｗ４が、Ｇ１３形口金の口金ピン５３の内側ピン間寸法Ｗ１２より大きい寸法に設定されている。そして、回転子２４を回転自在とする嵌合筒部２６の外径寸法が、Ｇ１３形口金の口金ピン５３の内側ピン間寸法Ｗ１２より大きく、且つ、直管型ランプ１０Ａ，１０Ｂの口金ピン１３の内側ピン間寸法Ｗ３，Ｗ４より小さい寸法に設定されている。
【００６１】
これにより、ランプソケット２０Ａ，２０Ｂには、代替光源である直管型ランプ１０Ａ，１０Ｂは装着可能であるが、直管型蛍光ランプ５０は装着することができず、適用外のランプが誤装着される可能性を低減することができる。
【００６２】
（実施形態３）
以下に、実施形態１で説明したランプソケット２０Ａを備える照明器具について図１４を参照して説明する。
【００６３】
図１４（ａ）に照明器具１００の外観斜視図を、図１４（ｂ）に照明器具１００の概略構成図を示す。
【００６４】
照明器具１００は直方体状の器具本体１０１を備え、器具本体１０１の下面には、直管型ランプ１０Ａを装着するための一対のランプソケット２０Ａ，２０Ａが、口金受け部２８を向かい合わせにして取り付けられている。また器具本体１０１の内部には、商用電源ＡＣからの電源線が接続される端子台１０３と、端子台１０３を介して入力される商用電源ＡＣを直管型ランプ１０Ａに適合した電力に変換する点灯回路１０２が収納されている。点灯回路１０２の出力端子は、内部配線１０４を介してランプソケット２０Ａ，２０Ａに接続されており、ランプソケット２０Ａ，２０Ａに装着された直管型ランプ１０Ａに点灯電力が供給される。
【００６５】
ここで、ランプソケット２０Ａには、代替光源である直管型ランプ１０Ａと、直管型蛍光ランプ５０の両方共に接続できるので、点灯回路１０２を蛍光ランプ用の点灯回路に交換すれば、直管型蛍光ランプ５０を装着して使用できる。また現時点では点灯回路１０２が蛍光ランプ用の回路で構成され、光源として直管型蛍光ランプ５０を使用する場合でも、点灯回路１０２を代替光源用のものに交換するだけで、代替光源である直管型ランプ１０Ａを装着して使用できるようになる。
【００６６】
尚、ランプソケットとして実施形態２で説明したランプソケット２０Ａを備えたものでもよいし、ランプソケット２０Ａの代わりに実施形態１又は２で説明したランプソケット２０Ｂを使用してもよいことは言うまでもない。
【００６７】
また、上述の各実施形態では、直管型蛍光ランプ５０の代替光源として、光源に発光ダイオードを用いた直管型ランプ１０Ａ，１０Ｂを例に説明を行っているが、発光ダイオード以外の光源を用いたランプでもよいことは言うまでもない。
【符号の説明】
【００６８】
１０Ａ，１０Ｂ  直管型ランプ
１１  発光管
１２  口金
１３  口金ピン
１４，１７，１８，１９  曲げ部
２０Ａ，２０Ｂ  ランプソケット
２１  ソケット本体
２２ｃ  支持軸
２２ｇ  逃がし溝
２３ｇ  逃がし溝
２４  回転子
２５  回転子本体
２５ａ  挿入溝
２６  嵌合筒部
２７  給電用端子
２８  口金受け部
１００  照明器具
１０１  器具本体
１０２  点灯回路
【図１】
0005685716.tif 000002
【図２】
0005685716.tif 000003
【図３】
0005685716.tif 000004
【図４】
0005685716.tif 000005
【図５】
0005685716.tif 000006
【図６】
0005685716.tif 000007
【図７】
0005685716.tif 000008
【図８】
0005685716.tif 000009
【図９】
0005685716.tif 000010
【図１０】
0005685716.tif 000011
【図１１】
0005685716.tif 000012
【図１２】
0005685716.tif 000013
【図１３】
0005685716.tif 000014
【図１４】
0005685716.tif 000015